(57)【要約】【目的】ＯＣＴ光学系から検査部位の領域までの距離をＯＣＴ光学系の焦点距離とほぼ等しくさせる。【構成】内視鏡１の挿入部２の先端に，円管状のフード10が装着される。フード10の先端面13の中心ＣにＯＣＴ光学系６からの測定光Ｌが通る場合に，測定光Ｌが先端面13の法線となるように，フード10の先端面13の傾斜角θが決定されている。また，ＯＣＴ光学系６の先端面からフード10の先端面13の中心Ｃまでの距離がＯＣＴ光学系６の焦点距離となるようにフード10と内視鏡１の挿入部２とが位置決めされる。フード10の先端面13によって検査部位が囲まれるように，先端面13が生体に当てられると，検査部位までの距離がＯＣＴ光学系６の焦点距離ｆとなり，検査部位について高画質の断層像が得られる。【選択図】図４
2013031541.tif 000002
【特許請求の範囲】
【請求項１】
検査部位近傍を観察する内視鏡装置において，
上記内視鏡装置の挿入部の先端部に設けられ，上記検査部位に対して
走査自在に測定光を照射するＯＣＴ光学系，および
上記ＯＣＴ光学系の測定光射出面から先端面の中心までの距離が，上記ＯＣＴ光学系の焦点距離と等しい位置決め部材，
を備えた内視鏡装置。
【請求項２】
上記測定光による生体からの反射光を用いて，光断層画像を生成する信号処理部，
をさらに備えた請求項１に記載の内視鏡装置。
【請求項３】
上記位置決め部材は，
上記内視鏡装置の挿入部の先端に取り付けられている樹脂製のフードである，
請求項１に記載の内視鏡装置。
【請求項４】
上記位置決め部材は，
上記内視鏡装置の挿入部の先端に着脱自在または進退自在である，
請求項１から３のうち，いずれか一項に記載の内視鏡装置。
【請求項５】
測定光による走査範囲の中心に射出される測定光の照射方向が法線方向となるように上記位置決め部材の先端面が，内視鏡装置の挿入部の先端面に対して斜めに形成されている，
請求項１から４のうち，いずれか一項に記載の内視鏡装置。
【請求項６】
上記測定光が照射される測定光射出口は，上記内視鏡装置の挿入部の中心軸から径方向に距離ａだけ偏心しており，
上記位置決め部材の先端面は，上記内視鏡装置の挿入部の先端面に対してsinθ＝（距離ａ／ＯＣＴ光学系の焦点距離ｆ）を満足する角度θだけ斜めに形成されている，
請求項５に記載の内視鏡装置。
【請求項７】
上記位置決め部材が，上記内視鏡装置の挿入部の先端部に着脱自在なように，上記位置決め部材および上記内視鏡の挿入部の端部に係合部が形成されている，
請求項１から６のうち，いずれか一項に記載の内視鏡装置。
【請求項８】
上記位置決め部材が，上記内視鏡装置の挿入部の先端部に所定範囲内に進退自在な規制部が形成されている，
請求項１から６のうち，いずれか一項に記載の内視鏡装置。
【請求項９】
上記位置決め部材の先端面が，上記測定光射出面から上記ＯＣＴ光学系の焦点距離と等しい半径をもつ球面上に形成されている，
請求項１，２，３，７，または８に記載の内視鏡装置。
【請求項１０】
検査部位に対して走査自在に測定光を照射するＯＣＴ光学系が，挿入部の先端部に設けられている内視鏡装置の上記先端部に装着される位置決め部材であって，
内視鏡装置の上記先端部に装着されたときの上記ＯＣＴ光学系の測定光照射口から先端面の中心までの距離が上記ＯＣＴ光学系の焦点距離と等しい位置決め部材。
【発明の詳細な説明】
【技術分野】
【０００１】
この発明は，内視鏡装置に関する。
【背景技術】
【０００２】
内視鏡を用いて検査部位近傍を観察する場合，ＣＣＤなどの固体電子撮像素子を利用して検査部位近傍を単純に撮像する観察装置と他の方法を利用した観察装置とが一つの内視鏡内に組み込まれることがある。たとえば，ＮＢＩ（Narrow Band Imaging ）を利用した内視鏡では，検査部位に照射する光の波長を切り換えることにより，波長に応じた画像を取得できる。また，内視鏡の挿入部の先端にフードやカバーを付けるものもある（特許文献１，２）。
【先行技術文献】
【特許文献】
【０００３】
【特許文献１】特開2002-263055号公報
【特許文献２】特開2010-253110号公報
【発明の概要】
【発明が解決しようとする課題】
【０００４】
光断層撮像装置のように，径の極めて小さい測定光を検査部位に照射して（ポイント・スキャン）検査部位の断層像を得る場合には，検査部位のすべての領域が測定光によってなぞられるように走査する必要がある（エリア・スキャン）。このように，ポイント・スキャンを走査することで実現されるエリア・スキャンが内視鏡装置において行われる場合には，次のような課題が考えられる。次のような課題は，特許文献１，２においても解決されていない。
【０００５】
（１）ポイント・スキャンによるために，内視鏡下での距離感が把握できず，走査位置が定量的に把握できない。（２）測定時間がかかり，呼吸や拍動などの影響を無視できない。（３）光断層などでのポイント・スキャンは画質がもっとも良くなる焦点が存在するため，内視鏡下での測定においては測定距離を一定とする必要がある。（４）超音波でのポイント・スキャンでは検査部位と接する必要があり，共焦点顕微鏡でのポイント・スキャンでは検査部位に近接する必要があるために，いずれも観察部位との間隔をあけて測定することは困難である。（５）内視鏡には鉗子チャネルなどが必要であるために，ポイント・スキャンのための測定光の射出位置を内視鏡の挿入部の先端中央に配置することは困難である。測定光を走査のために偏向させずに射出した場合，測定光は検査部位に対して垂直とはならないので，測定光の射出位置からスキャンすべき検査部位の領域のそれぞれまでの距離がほぼ一定とならない。
【課題を解決するための手段】
【０００６】
この発明は，高画質の断層像を得ることを目的とする。
【０００７】
この発明は，検査部位近傍を観察する内視鏡装置において，上記内視鏡装置の挿入部の先端部に設けられ，上記検査部位に対して走査自在に測定光を照射するＯＣＴ光学系，および上記ＯＣＴ光学系の測定光射出面から先端面の中心までの距離が，上記ＯＣＴ光学系の焦点距離と等しい位置決め部材を備えていることを特徴とする。
【０００８】
この発明によると，内視鏡装置の挿入部の先端部には，検査部位に対して走査自在に測定光を射出するＯＣＴ（Optical Coherence Tomography）光学系が設けられている。また，内視鏡装置の挿入部の先端部には，ＯＣＴ光学系の測定光射出面から，先端面の中心までの距離がＯＣＴ光学系の焦点距離（ＯＣＴ光学系の主点の位置からＯＣＴ光学系によって結像するまでの位置）と等しい位置決め部材が設けられている。位置決め部材の先端面の中心が検査部位の領域の中心となるように，検査部位に位置決め部材の先端面を当てると，ＯＣＴ光学系の測定光射出面から，検査部位の領域の中心までの距離がＯＣＴ光学系の焦点距離と等しくなる。ＯＣＴ光学系から射出される測定光が検査部位の領域に走査された場合であっても，ＯＣＴ光学系の測定光射出面から検査部位のすべての領域までの距離は，ほぼＯＣＴ光学系の焦点距離に等しくなる。検査部位の全体にわたって高画質の断層像が得られる。
【０００９】
また，位置決め部材が設けられているので，内視鏡下での距離感を把握でき，走査位置を定量的に把握できる。さらに，位置決め部材によって検査部位を固定できるので，呼吸や体動の影響を受けにくい。位置決め部材により，検査部位との感覚をあけて観察でき，かつ検査部位の断層像を得ることができる。
【００１０】
上記測定光による生体からの反射光を用いて，光断層画像を生成する信号処理部をさらに備えてもよい。
【００１１】
上記位置決め部材は，たとえば，上記内視鏡装置の挿入部の先端に取り付けられている樹脂製のフードである。また，上記位置決め部材は，上記内視鏡装置の挿入部の先端に着脱自在または進退自在であることが好ましい。
【００１２】
測定光による走査範囲の中心に射出される測定光の照射方向が法線方向となるように上記位置決め部材の先端面が，内視鏡装置の挿入部の先端面に対して斜めに形成されているとよい。
【００１３】
上記測定光が照射される測定光射出口は，上記内視鏡装置の挿入部の中心軸から径方向に距離ａだけ偏心しており，上記位置決め部材の先端面は，上記内視鏡装置の挿入部の先端面に対してsinθ＝（距離ａ／ＯＣＴ光学系の焦点距離ｆ）を満足する角度θだけ斜めに形成されていることが好ましい。
【００１４】
上記位置決め部材は，たとえば，上記内視鏡装置の挿入部の先端部に着脱自在なように，上記位置決め部材および上記内視鏡の挿入部の端部に係合部が形成されているものである。また，上記位置決め部材は，上記内視鏡装置の挿入部の先端部に所定範囲内に進退自在な規制部が形成されていることが好ましい。さらに，上記位置決め部材の先端面は，たとえば，上記測定光射出面から上記ＯＣＴ光学系の焦点距離と等しい半径をもつ球面上に形成されているものである。
【００１５】
この発明は，上記位置決め部材を単独で構成するものも提供している。すなわち，検査部位に対して走査自在に測定光を照射するＯＣＴ光学系が，挿入部の先端部に設けられている内視鏡装置の上記先端部に装着される位置決め部材であって，内視鏡装置の上記先端部に装着されたときの上記ＯＣＴ光学系の測定光照射口から先端面の中心までの距離が上記ＯＣＴ光学系の焦点距離と等しいものである。
【図面の簡単な説明】
【００１６】
【図１】内視鏡の挿入部を示す斜視図である。
【図２】（Ａ）はフードの斜視図，（Ｂ）はフードの断面図である。
【図３】（Ａ）はフードが装着された内視鏡の挿入部の斜視図，（Ｂ）はフードが装着された内視鏡の挿入部の正面図である。
【図４】フードが装着された内視鏡の挿入部の側面図である。
【図５】検査部位をＯＣＴ光学系により走査している様子を示す。
【図６】（Ａ）はフードが装着された内視鏡を用いて検査している様子を示し，（Ｂ）はその断面図である。
【図７】内視鏡の挿入部を示す斜視図である。
【図８】（Ａ）はフードの斜視図，（Ｂ）はフードの断面図である。
【図９】フードが装着された内視鏡の挿入部の斜視図である。
【図１０】（Ａ）は内視鏡の挿入部の斜視図，（Ｂ）は内視鏡の挿入部の正面図である。
【図１１】（Ａ）はフードの斜視図，（Ｂ）はフードの断面図である。
【図１２】フードが装着された内視鏡の挿入部の斜視図である。
【図１３】規制部材の斜視図である。
【図１４】規制部材が取り付けられた内視鏡の挿入部の斜視図である。
【図１５】（Ａ）はフードの斜視図，（Ｂ）はフードの断面図である。
【図１６】フードが装着された内視鏡の挿入部の斜視図である。
【図１７】（Ａ）および（Ｂ）は，フードが装着された内視鏡の挿入部の断面図である。
【図１８】フードが装着された内視鏡の挿入部の側面図である。
【図１９】光断層画像化システムの電気的構成を示すブロック図である。
【実施例】
【００１７】
図１は，この発明の実施例を示すもので，内視鏡１の挿入部２の先端部を示す斜視図である。
【００１８】
内視鏡１の挿入部２は，細長い円筒状の形状をしている。挿入部２の先端面３は，ほぼ円形であり，その先端面３に，中心から偏心した位置に撮像レンズ４が固定されている。撮像レンズ４によって集光される光（検査部位からの反射光）は，挿入部２内部に設けられているＣＣＤ（図示略）の受光面に導かれる。ＣＣＤによって検査部位が撮像される。撮像によって得られる検査部位の画像は，表示装置（図示略）の表示画面に表示される。
【００１９】
また，挿入部２の先端部には，ＯＣＴ光学系６が配置されている。先端面３からＯＣＴ光学系６が覗いている。ＯＣＴ光学系６の先端面から測定光が検査部位に射出される。わかりやすくするために，ＯＣＴ光学系６は円柱で図示されているが，内部にレンズや光を所定角度で走査できるように偏向ミラー（いずれも図示略）が含まれているのはいうまでもない。
【００２０】
図２（Ａ）は，内視鏡１の挿入部２の先端に取り付けられるフード10の斜視図，図２（Ｂ）は，図２（Ａ）のIIＢ−IIＢ線に沿う断面図である。
【００２１】
フード10は，円管状であり，内視鏡１の挿入部２が後端面14から通されるように挿通路11が形成されている。フード10が内視鏡１の挿入部２に着脱自在に取り付けられるように，挿通路11の内径は，内視鏡１の挿入部２の外径とほぼ同じとされている。フード10の先端面13は，斜めに切られている。挿通路11のほぼ中間には，内部に突出しているリング状のストッパ12が形成されている。このストッパ12により，フード10に内視鏡１の挿入部２が挿入された場合に，挿入部２の先端面３の周囲の部分がストッパ12に当たり，フード10と挿入部２との位置関係が規定される。
【００２２】
図３（Ａ）は，フード10が装着された内視鏡１の挿入部２の斜視図，図３（Ｂ）は，フード10が装着された内視鏡１の挿入部２の正面図である。
【００２３】
フード10の後端面14から内視鏡１の挿入部２が挿入されていくと，挿入部２の先端面３がフード10のストッパ12に当たる。これにより，挿入部２の動きが規制され，挿入部２にフード10が装着される。図３（Ｂ）に示すように，挿入部２にフード10が装着されてもフード10は円環状であるから，正面から見ると，撮像レンズ４，ＯＣＴ光学系６が見える。
【００２４】
図４は，フード10が装着された内視鏡１の挿入部２の側面図，図５は，生体20がＯＣＴ用プローブ６から射出された測定光Ｌにより照射されている様子を示している。
【００２５】
ＯＣＴ光学系６は，先端面の測定光射出口（必ずしも孔が開いているわけではない）から径の極めて小さい測定光Ｌを射出する。ＯＣＴ光学系６は，図５に示すように，測定光Ｌを正面からみて上下左右に振らして射出することができる。これにより，生体20のうち，検査部位21のすべての領域が測定光Ｌによってなぞられるように走査される。測定光Ｌが正面から見て左右に振られるように射出されることにより，検査部位21のＸ方向に測定光Ｌが走査させられる。測定光Ｌが正面から見て上下に振られるように射出されることにより，検査部位21のＹ方向に測定光Ｌが走査させられる。
【００２６】
図４に示すように，この実施例では，ＯＣＴ光学系６から射出される測定光Ｌがフード10の先端面13の中心Ｃを通る場合に，ＯＣＴ光学系６の先端面（測定光Ｌの出射点）から，その中心Ｃまでの距離がＯＣＴ光学系６の（光学系の）焦点距離ｆと等しくなるように，内視鏡１の挿入部２にフード10が取り付けられる。すなわち，挿入部２がフード10に挿入され，挿入部２の先端面３がストッパ12に当たったときに，ＯＣＴ光学系６の先端面からフード10の先端面13の中心Ｃまでの距離がＯＣＴ光学系６の焦点距離ｆと等しくなるような位置に，上述したストッパ12が形成されている。もちろん，フード10にストッパ12が形成されていなくとも，ＯＣＴ光学系６の先端面からフード10の先端面13の中心Ｃまでの距離がＯＣＴ光学系６の焦点距離ｆとほぼ等しくなればよい。ＯＣＴ光学系６の先端面から検査部位21まで距離が一定となる。
【００２７】
また，この実施例では，ＯＣＴ光学系６から射出される測定光Ｌがフード10の先端面13の中心Ｃを通る場合に，そのような測定光Ｌの方向が，先端面13の法線方向となるように，先端面13の傾斜角がθと定められている。この傾斜角θは，ＯＣＴ光学系６の先端を頂点Ａ，フード10の中心軸と頂点Ａを通る鉛直線との交点を頂点Ｂ，フード10の先端面13の中心を頂点Ｃとする直角三角形ＡＢＣを考えた場合に，sinθ＝a/fが成立するものである。ここで，距離ａは，頂点Ａから頂点Ｂまでの距離である。もっとも，ＯＣＴ光学系６の先端面からフード10の先端面13の中心Ｃまでの距離がＯＣＴ光学系６の焦点距離ｆと等しくなれば，先端面13の傾斜角θがsinθ＝a/fとならなくともよい。
【００２８】
図４におけるフード10と内視鏡１の挿入部２との関係を維持するために，フード10と挿入部２との周方向の位置関係を規定するマークをフード10および挿入部２に形成してもよい。それらのマークが一致するようにフード10が挿入部２に装着される。マークでなくとも，規制部材をフード10および挿入部２に形成してもよい。たとえば，溝などの凹部をフード10または挿入部２のいずれか一方に形成し，その凹部に嵌る凸部をフード10または挿入部２のいずれか他方を形成する。
【００２９】
図６（Ａ）および図６（Ｂ）は，フード10を取り付けた内視鏡１を使用する様子を示している。図６（Ａ）は，側面から見た様子を示し，図６（Ｂ）は，図６（Ａ）のVIＢ−VIＢ線に沿う断面図である。
【００３０】
内視鏡１の挿入部２にフード10が取り付けられている。フード10の先端面13が検査部位21を囲むように生体20に押し付けられる。上述したように（図５参照），検査部位21の領域全体がＯＣＴ光学系６から射出される測定光Ｌによって走査させられる。すると，検査部位21の断層像が得られる。ＯＣＴ光学系６の先端からフード10の先端面13の中心Ｃまでの距離はＯＣＴ光学系６の焦点距離ｆに等しいから，ＯＣＴ光学系６の先端から検査部位21の各部分までの距離もほぼ焦点距離ｆに等しく一定となる。したがって，検査部位21の断層像の画質が向上することとなる。
【００３１】
上述の実施例においては，フード10が内視鏡１の挿入部２から外れないようにフード10が挿入部２に固定されるのはいうまでもない。
【００３２】
図７から図９は，他の実施例を示している。この実施例は，図４の位置関係を保つように，フード10Ａを内視鏡１Ａの挿入部２に位置決めできるものである。
【００３３】
図７は，内視鏡１Ａの挿入部２を示す斜視図である。この図において，図１に示すものと同一物については同一符号を付して説明を省略する。
【００３４】
挿入部２の先端部には，挿入部２の外周面に，径方向に突出したＯリング７が設けられている。
【００３５】
図８（Ａ）は，フード10Ａの斜視図，図８（Ｂ）は，図８（Ａ）のVIIIＢ−VIIIＢ線に沿う断面図である。これらの図においても，図２（Ａ）および図２（Ｂ）に示すものと同一物については同一符号を付して説明を省略する。
【００３６】
フード10Ａの後端面14近傍に，挿通路11の周面に沿って溝17が形成されている。
【００３７】
図９は，フード10Ａが装着された内視鏡１Ａの挿入部２の斜視図である。
【００３８】
フード10Ａの挿通路11に沿ってフード10Ａの後端面14から内視鏡１Ａの挿入部２が挿入させられる。フード10Ａは可撓性の材料から構成されているから，径方向に拡がり挿入部２がフード10Ａ内に通される。挿入部２に形成されているＯリング７が，フード10Ａに形成されている溝17の位置となると，Ｏリング７が溝17に入り込む。フード10Ａと挿入部２とが係合する。図４に示す位置関係を維持するように，フード10Ａが挿入部２Ａに装着される。この実施例においても，フード10Ａと挿入部２Ａとの周方向の位置が決定されるようにマーク，位置決め部材などがフード10Ａおよび挿入部２Ａに形成されていることが好ましい。
【００３９】
図10（Ａ）および図10（Ｂ）から図12は，さらに他の実施例を示している。この実施例においても，図４に示す位置関係を維持するようにフード10Ｂと内視鏡１Ｂの挿入部２とを位置決めできるものである。
【００４０】
図10（Ａ）は，内視鏡１Ｂの挿入部２の斜視図，図10（Ｂ）は，内視鏡１Ｂの挿入部２の正面図である。これらの図において，図１に示すものと同一物については同一符号を付して説明を省略する。
【００４１】
挿入部２の先端の外周面には，正面から見て右側および左側のそれぞれに径方向に突出した凸部８Ａおよび８Ｂが形成されている。
【００４２】
図11（Ａ）は，フード10Ｂの斜視図，図11（Ｂ）は，図11（Ａ）のVIIIＢ−VIIIＢ線に沿う断面図である。これらの図において，図２（Ａ）および図２（Ｂ）に示すものと同一物については同一符号を付して説明を省略する。
【００４３】
フード10Ｂの内部に形成されている挿通路11には，正面から見て右側および左側に，フード10Ｂの長手方向に伸びているスライド溝19および20が掘られている。これらのスライド溝19および20は，上述した内視鏡１Ｂの挿入部２に形成されている凸部８Ａおよび８Ｂの高さよりも浅い。正面から見て右側に形成されているスライド溝19の後端部（後端面14側の端部）には，スライド溝19よりも深く，内視鏡１Ｂの挿入部２に形成されている凸部８Ａの高さと同じ深さをもつ凹部19Ａが形成されている。スライド溝19の先端部（先端面13側の端部）にも，凸部８Ａの高さと同じ深さをもつ凹部19Ｂが形成されている。正面から見て左側に形成されているスライド溝20の後端部には，スライド溝20よりも深く，内視鏡１Ｂの挿入部２に形成されている凸部８Ｂの高さと同じ深さをもつ凹部20Ｂが形成されている。スライド溝20の先端部（先端面13側の端部）にも，凸部８Ｂの高さと同じ深さをもつ凹部20Ｂが形成されている。
【００４４】
図12は，上述した内視鏡１Ｂの挿入部２にフード10Ｂが装着されている様子を示す斜視図である。この図において，図３（Ａ）などに示すものと同一物については同一符号を付して説明を省略する。
【００４５】
内視鏡１Ｂの挿入部２がフード10Ｂの後端面14から挿入させられると，挿入部２に形成されている凸部８Ａがフード10Ｂに形成されている凹部19Ａに入り込み，凸部８Ｂが凹部20Ａに入り込む。これにより，図12に示すように，フード10Ｂが内視鏡１Ｂの挿入部２に装着される。凸部８Ａおよび８Ｂが凹部19Ａおよび20Ａにそれぞれ入り込んでいるので，フード10Ｂと挿入部２との位置関係は，図４に示す関係を保つこととなる。フード10Ｂと挿入部２とは，所定以上の力が加わらなければ長手方向に移動しないし，周方向にも移動しない。
【００４６】
凸部８Ａおよび８Ｂが凹部19Ａおよび20Ａにそれぞれ入り込んでいる状態で，フード10Ｂが挿入部２の方向に所定以上の力で押されると，凸部８Ａおよび８Ｂが凹部19Ａおよび20Ａのそれぞれから外れる。凸部８Ａおよび８Ｂがスライド溝19および20内をスライドしながら，フード10Ｂは挿入部２に重なっていく。挿入部２に形成されている凸部８Ａおよび８Ｂがスライド溝19および20のそれぞれの先端部に形成されている凹部19Ｂおよび20Ｂのそれぞれに入り込み，フード10Ｂの動きが規制される。フード10Ｂを引っ張ることにより，凹部19Ｂおよび20Ｂに入っている凸部８Ａおよび８Ｂが凹部19Ｂおよび20Ｂからはずれ，スライド溝19および20に沿ってフード10Ｂがスライドする。フード10Ｂは，スライド溝19および20の長さの間でスライド自在となる。
【００４７】
図13から図17（Ａ）および図17（Ｂ）は，変形例を示すもので，フード10をスライドできるものである。
【００４８】
図13は，挿入部２の先端部に取り付けられる規制部材30の斜視図，図14は，規制部材30が嵌められた内視鏡１Ｃの挿入部２の斜視図である。
【００４９】
規制部材30は，円環状の形状であり，挿入部２を挿入する挿通路33が形成されている。規制部材30の先端側（図13において左側）の端面および基端側（図13において右側）の端面には，それぞれ径方向に突出している円形のストッパ31および32が形成されている。基端側のストッパ32の上部には，軸方向に貫通している貫通孔35が開いている。
【００５０】
内視鏡２の外周面の上部には，気体，液体などの流体を流すための流管９が，挿入部２の長手方向に沿って形成されている。
【００５１】
ストッパ31および32の直径はいずれもｄ11である。ストッパ31と32との間の外周部34の直径はｄ12である。外周部34の直径ｄ12は，ストッパ31および32の直径ｄ11よりも小さく，挿入部２の外径よりも大きい。
【００５２】
挿通路33の内径は，挿入部２の外径とほぼ同じであり，挿入部２が挿通路33に通されることにより，規制部材30が挿入部２の先端部に嵌め込まれる。挿入部２の先端面３と規制部材30の先端側のストッパ31の先端面とがほぼ一致するように，規制部材30が挿入部２の先端部に嵌めこまれる。
【００５３】
規制部材30が挿入部２の先端部に嵌めこまれると，挿入部２の外周面の上部に形成されている流管９の先端部が規制部材30のストッパ32に形成されている貫通孔35につなげられる。
【００５４】
図15（Ａ）は，フード10の斜視図であり，図15（Ｂ）は，図15（Ｂ）のXVＢ−XVＢ線に沿う断面図である。図15（Ａ）および図15（Ｂ）は，図２（Ａ）および図２（Ｂ）に示すフード10と同じものである。図15（Ａ）および図15（Ｂ）において，図２（Ａ）および図２（Ｂ）に示すものと同一物については同一符号を付して説明を省略する。
【００５５】
フード10には，上述したように，挿通路11が形成されている。挿通路11の直径ｄ21は，規制部材30のストッパ31および32の直径ｄ11とほぼ同じである。フード10の長手方向のほぼ中間の挿通路11内に形成されているストッパ12は，挿通路11内に突出しているから，ストッパ12の直径（内径）ｄ22は，挿通路11の直径ｄ21よりも小さい。ストッパ12の直径ｄ22は，規制部材30の外周部34の直径ｄ12とほぼ同じである。
【００５６】
規制部材30のストッパ31と32との間にフード10のストッパ12が入り込むように，規制部材30が嵌め込まれた挿入部２の規制部材30にフード10が取り付けられる。フード10は可撓性のものであってもよいし，可撓性のものでなくともよい。フード10が可撓性のものであれば，フード10が径方向に伸ばされることにより規制部材30にフード10を取り付けることができる。フード10が可撓性のものでなければ，規制部材30から先端側のストッパ31から取り外されたものが用意され，ストッパ31が取り外された規制部材30が挿入部２に固定される。ストッパ31が取り外された規制部材30にフード10が挿入され，フード10のストッパ12を挟み込むようにストッパ31が規制部材30に固定される。フード10は，規制部材30のストッパ31と32との間の距離だけスライド自在となる。
【００５７】
図16は，フード10が取り付けられた内視鏡１Ｃの挿入部２を示す斜視図である。図17（Ａ）および図17（Ｂ）は，フード10が取り付けられた内視鏡１Ｃの挿入部２の縦断面図である。図17（Ａ）は，フード10が退避している状態を示し，図17（Ｂ）は，フード10が進出している状態を示している。
【００５８】
フード10が規制部材30に取り付けられると，フード10のストッパ12と規制部材30の基端側のストッパ32との間に空間36ができる。
【００５９】
図17（Ａ）に示すように，フード10は退避しているものとする。
【００６０】
流管９に空気が流されると，規制部材30の基端側のストッパ32に形成されている貫通孔35から，その空気が空間36に入り込む。空間36に空気が入り込むことにより，空間36が広がるようにストッパ12が押される。空間36に入り込んだ空気によりストッパ12が先端方向に押され，図17（Ｂ）に示すようにフード10が進出する。
【００６１】
図17（Ｂ）に示すように，フード10が進出している状態で，流管９から空気が吸引されると，空間36内の空気の量が減り，図17（Ｂ）に示すようにフード10は退避する。
【００６２】
流管９に空気を流すことによりフード10を進出でき，流管９から空気を吸引することによりフード10を退避できるようになる。
【００６３】
上述した変形例においては，フード10が進出可能な最大な位置に位置決めされたときのＯＣＴ光学系６の先端からフード10の先端面13の中心までの距離がＯＣＴ光学系６の焦点距離ｆとほぼ同じとなろう。また，上述した変形例においては，フード10と挿入部２とが周方向に相対的に回転しないように，ガイド（図示略）が形成されることが好ましい。
【００６４】
図18は，変形例を示すもので，フード10Ｃが装着された内視鏡１を示している。図18は，図４に対応するもので，図４に示すものと同一物については同一符号を付して説明を省略する。
【００６５】
図４等に示す実施例では，フード10の先端面13は，平面となっているが，図18に示す変形例ではフード10Ｃの先端面13Ｃは曲面となっている。ＯＣＴ光学系６の先端（正遮光Ｌの射出点）を中心に半径がＯＣＴ光学系６の焦点距離ｆをもつ球面の一部が先端面13Ａとなっている。
【００６６】
図６に示したように，生体20に先端面13Ａを押し当てて検査部位21が測定光Ｌによって走査されると，検査部位21までの距離はすべてＯＣＴ光学系６の焦点距離ｆとなる。高画質の断層像が得られるようになる。
【００６７】
図18に示す変形例においても図２（Ａ）に示すストッパ12，図７に示すＯリング７，図８（Ａ）に示す溝17，図10（Ａ）に示す凸部８Ａ，８Ｂ，図11に示すスライド溝19，20などが設けられてもよいのはいうまでもない。
【００６８】
上述の実施例，変形例においては，樹脂製のフード10等が利用されているが，フード10等は必ずしも樹脂製でなくともよく，可撓性のものでも可撓性のものでなくともよい。さらに，挿入部２に装着されるのは，フードでなくとも１本または複数本の棒状部材，板状部材でもよい。ＯＣＴ光学系６の先端面から検査部位21の中心までの距離がＯＣＴ光学系６の焦点距離ｆに等しくなるような位置決め部材が挿入部２に取り付けられればよい。
【００６９】
図19は，光断層画像化システムの電気的構成を示すブロック図である。
【００７０】
上述のようにしてＯＣＴ光学系６から生体（検査部位）に照射された照射光の反射光はＯＣＴ光学系６を介して光断層画像化装置40に入射する。光断層画像化装置40において，入射した反射光にもとづいて生体の光断層画像が生成される。生成された光断層画像が表示装置41の表示画面に表示されるようになる。
【符号の説明】
【００７１】
１，１Ａ，１Ｂ，１Ｃ  内視鏡
２  挿入部
６  ＯＣＴプローブ
７  Ｏリング（係合部）
８Ａ，８Ｂ  凸部（規制部）
10，10Ａ，10Ｂ，10Ｃ  フード（位置決め部材）
13，13Ａ  先端面
17  溝（係合部）
19，20  スライダ溝（規制部）
ｆ  ＯＣＴ光学系の焦点距離
Ｌ  測定光
【図１】
2013031541.tif 000003
【図２】
2013031541.tif 000004
【図３】
2013031541.tif 000005
【図４】
2013031541.tif 000006
【図５】
2013031541.tif 000007
【図６】
2013031541.tif 000008
【図７】
2013031541.tif 000009
【図８】
2013031541.tif 000010
【図９】
2013031541.tif 000011
【図１０】
2013031541.tif 000012
【図１１】
2013031541.tif 000013
【図１２】
2013031541.tif 000014
【図１３】
2013031541.tif 000015
【図１４】
2013031541.tif 000016
【図１５】
2013031541.tif 000017
【図１６】
2013031541.tif 000018
【図１７】
2013031541.tif 000019
【図１８】
2013031541.tif 000020
【図１９】
2013031541.tif 000021